(57)【要約】【課題】  ユーザ操作を煩雑化させることなく、ロック解除時に電池残量に応じて適切な省電力化処理を実行することができる携帯情報端末を提供することを目的とする。【解決手段】  省電力ロック画面ＲＳ２上の通常スライダー２１に対するユーザ操作に基づいて、非ロック状態に遷移させる第１のロック解除手段と、省電力ロック画面ＲＳ２上の省電力スライダー２２に対するユーザ操作に基づいて、非ロック状態に遷移させるとともに省電力化処理を行い、通常スライダー２１を操作して遷移した場合に比べて、非ロック状態Ｓ３における消費電力を抑制する第２のロック解除手段と、内蔵電池の電池残量を検出する電池残量検出部１４とを備え、表示制御部１２５が、電池残量に基づいて、省電力ロック画面ＲＳ２上に省電力スライダー２２を表示するように構成される。【選択図】  図４
2014056469.tif 000002
【特許請求の範囲】
【請求項１】
表示面上に画像を表示するとともに、上記表示面へのタッチ操作を検出するタッチパネルを備えた携帯情報端末において、
非ロック状態では、アプリケーションプログラムを選択するためのプログラム選択画面を上記表示面に表示し、ロック状態では、ロック画面を上記表示面に表示する表示制御手段と、
上記ロック画面上の第１のロック解除操作子に対するユーザ操作に基づいて、上記タッチパネルを非ロック状態に遷移させる第１のロック解除手段と、
上記ロック画面上の第２のロック解除操作子に対するユーザ操作に基づいて、上記タッチパネルを非ロック状態に遷移させるとともに省電力化処理を行い、第１のロック解除手段により遷移した場合に比べて、遷移後における消費電力を抑制する第２のロック解除手段と、
内蔵電池の電池残量を検出する電池残量計検出手段とを備え、
上記表示制御手段は、上記電池残量に基づいて、上記ロック画面上に第２のロック解除操作子を表示することを特徴とする携帯情報端末。
【請求項２】
２以上の上記省電力化処理の中から、上記電池残量に基づいて、ロック解除時に実行することを推奨する上記省電力化処理を推奨処理として選択する推奨処理選択手段を備え、
上記表示制御手段は、上記推奨処理を実行するための第２のロック解除操作子を上記ロック画面上に表示することを特徴とする請求項１に記載の携帯情報端末。
【請求項３】
上記推奨処理選択手段は、予め定められた推奨数を超えない数の上記省電力化処理を上記推奨処理として選択し、
上記表示制御手段は、上記推奨処理にそれぞれ対応づけられた１又は２以上の第２のロック解除操作子を上記ロック画面上に表示することを特徴とする請求項２に記載の携帯情報端末。
【請求項４】
上記ロック画面上に表示された２以上の第２のロック解除操作子は、ユーザが同時に操作することができ、
２以上の第２のロック解除操作子が同時に操作された場合に、操作された第２のロック解除操作子にそれぞれ対応づけられた２以上の省電力化処理がともに実行されることを特徴とする請求項３に記載の携帯情報端末。
【請求項５】
上記省電力化処理が対象とする機能ごとに、使用履歴及び電池消費量を保持する記憶手段と、
上記使用履歴に基づいて、２以上の上記省電力化処理の中から、１又は２以上の上記省電力化処理を第１の候補処理として選択する第１の候補処理選択手段と、
上記電池消費量に基づいて、２以上の上記省電力化処理の中から、１又は２以上の上記省電力化処理を第２の候補処理として選択する第２の候補処理選択手段とを備え、
上記推奨処理選択手段は、上記電池残量を予め定められた閾値と比較し、上記電池残量が閾値を超えていれば、第１の候補処理を上記推奨処理として選択する一方、上記電池残量が閾値以下であれば、第２の候補処理を上記推奨処理として選択することを特徴とする請求項２、３又は４に記載の携帯情報端末。
【請求項６】
上記使用履歴を計測し、上記記憶手段に格納する使用履歴計測手段を備え、
第１の候補処理選択手段は、第１の候補処理として、より使用頻度の低い上記機能を対象とする省電力化処理を優先的に選択することを特徴とする請求項５に記載の携帯情報端末。
【請求項７】
上記記憶手段は、上記省電力化処理が対象とする機能ごとに、動作状態を予め指定するためのユーザ設定を保持し、
第１の候補処理選択手段は、上記ユーザ設定に基づいて、その実行が許可されている上記機能を対象とする第１の候補処理を選択することを特徴とする請求項６に記載の携帯情報端末。
【請求項８】
上記電池消費量を計測し、上記記憶手段に格納する電池消費量計測手段を備え、
第２の候補処理選択手段は、第２の候補処理として、より消費電力の低減効果が大きい上記機能を対象とする省電力化処理を優先的に選択することを特徴とする請求項５に記載の携帯情報端末。
【請求項９】
上記記憶手段は、上記省電力化処理が対象とする機能ごとに、動作状態を予め指定するためのユーザ設定を保持し、
第２の候補処理選択手段は、上記ユーザ設定に基づいて、その実行が許可されている上記機能を対象とする第２の候補処理を選択することを特徴とする請求項８に記載の携帯情報端末。
【請求項１０】
上記ロック画面を表示させるためのユーザ操作を検出するユーザ操作検出手段を備え、
上記表示制御手段は、上記ユーザ操作に基づいて、第１のロック解除操作子を含む上記ロック画面を表示し、
上記推奨処理選択手段は、上記ユーザ操作に基づいて、上記推奨処理を選択し、
上記表示制御手段は、第１のロック解除操作子よりも遅れて第２のロック解除操作子を上記ロック画面上に表示することを特徴とする請求項２〜９のいずれかに記載の携帯情報端末。
【請求項１１】
表示面上に画像を表示するとともに、上記表示面へのタッチ操作を検出するタッチパネルを備えた携帯情報端末の制御方法であって、
非ロック状態では、アプリケーションプログラムを選択するためのプログラム選択画面を上記表示面に表示し、ロック状態では、ロック画面を上記表示面に表示する表示制御ステップと、
上記ロック画面上の第１のロック解除操作子に対するユーザ操作に基づいて、上記タッチパネルを非ロック状態に遷移させる第１のロック解除ステップと、
上記ロック画面上の第２のロック解除操作子に対するユーザ操作に基づいて、上記タッチパネルを非ロック状態に遷移させるとともに省電力化処理を行い、第１のロック解除手段により遷移した場合に比べて、遷移後における消費電力を抑制する第２のロック解除ステップと、
内蔵電池の電池残量を検出する電池残量計検出ステップとを備え、
上記表示制御ステップでは、上記電池残量に基づいて、上記ロック画面上に第２のロック解除操作子を表示することを特徴とする携帯情報端末の制御方法。
【請求項１２】
表示面上に画像を表示するとともに、上記表示面へのタッチ操作を検出するタッチパネルを備えた携帯情報端末用のコンピュータプログラムであって、
非ロック状態では、アプリケーションプログラムを選択するためのプログラム選択画面を上記表示面に表示し、ロック状態では、ロック画面を上記表示面に表示する表示制御ステップと、
上記ロック画面上の第１のロック解除操作子に対するユーザ操作に基づいて、上記タッチパネルを非ロック状態に遷移させる第１のロック解除ステップと、
上記ロック画面上の第２のロック解除操作子に対するユーザ操作に基づいて、上記タッチパネルを非ロック状態に遷移させるとともに省電力化処理を行い、第１のロック解除手段により遷移した場合に比べて、遷移後における消費電力を抑制する第２のロック解除ステップと、
内蔵電池の電池残量を検出する電池残量計検出ステップとを実行するための手順からなり、
上記表示制御ステップでは、上記電池残量に基づいて、上記ロック画面上に第２のロック解除操作子を表示することを特徴とする携帯情報端末用のコンピュータプログラム。
【発明の詳細な説明】
【技術分野】
【０００１】
本発明は、携帯情報端末、その制御方法及び携帯情報端末用のコンピュータプログラムに係り、更に詳しくは、ロック画面上のロック解除操作子を操作することにより、携帯情報端末をロック状態から非ロック状態に遷移させる携帯情報端末の改良に関する。
【背景技術】
【０００２】
一般に、タッチパネルを備えた携帯情報端末、例えば、スマートフォンなどの携帯電話機やタブレット型コンピュータは、一定時間継続してユーザ操作がなければ、タッチパネルを消灯して消費電力を低減させるスリープ状態に移行する。このスリープ状態は、ユーザのスリープ解除操作によって解除され、スリープ状態から復帰したタッチパネルにはロック画面が表示される。
【０００３】
ロック画面上には、スライド操作子などのロック解除操作子が表示され、ユーザがロック解除操作子を操作することにより、ロック状態が解除され、アプリケーションプログラムを選択するためのプログラム選択画面が表示される。この様な構成を採用することにより、スリープ解除操作とロック解除操作が順に行われなければ、タッチパネルがスリープ状態からプログラム選択画面に遷移せず、ユーザの意に反してプログラム選択画面が表示されるのを防止することができる。
【０００４】
この様なロック解除操作は、ユーザが携帯情報端末を使用するたびに繰り返される操作であるため、ロック解除操作に基づいて、ロック解除以外の処理を実行させることができれば、ユーザの利便性を向上させることができると考えられる。例えば、ロック画面上に２以上のアイコンが表示され、いずれか一方のアイコンを選択的に操作することができる携帯端末が提案されている（例えば、特許文献１）。
【０００５】
特許文献１に記載されている携帯端末は、ロック画面上にロックアイコンＲｉ及びマナーアイコンＭｉが表示される。ロックアイコンＲｉは、ロック状態だけを解除するためのアイコンであり、マナーアイコンＭｉは、ロック状態を解除するとともに、通常モード及びマナーモードの切り替えを行うためのアイコンである。このため、ユーザは、アイコンを選択的に操作することにより、必要に応じて、ロック解除と同時にモードの切り替えも行うことができる。
【０００６】
ここで、最近の携帯情報端末は、高機能化、大画面化などに伴って消費電力が増大し、内蔵電池の満充電後における駆動時間が短くなってきている。このため、不必要な消費電力を低減して１回の充電で使用できる時間を長くすることが重要になっている。そこで、ロック解除と同時に省電力化処理を実行することが考えられる。
【０００７】
しかしながら、省電力化処理は、携帯情報端末が有する機能の停止又は制限を伴うものであり、携帯情報端末が有する多数の機能のいずれを対象として省電力化処理を行うべきであるのかを判断しなければならず、ユーザ自身がこの判断を行うことは容易ではない。その一方で、ユーザの使用状況や希望を無視して省電力化処理を実行すれば、利便性が著しく損なわれる場合が生じると考えられる。
【０００８】
さらに、多数の省電力化処理に対応するアイコンをロック画面上に表示することはできず、また、多数のアイコンを表示することができたとしても、その中から必要なアイコンを選択する操作は煩雑である。
【０００９】
しかも、省電力化処理を実行することにより消費電力の抑制効果が得られるか否かは当該携帯情報端末におけるユーザ設定によって異なり、また、消費電力の抑制効果も省電力化処理ごとに異なっている。また、どの程度の省電力効果が必要とされているのかは、そのときの電池残量などによって異なるため、これらを総合的に判断して、ユーザ自身が省電力化処理を選択することは困難であった。
【先行技術文献】
【特許文献】
【００１０】
【特許文献１】特開２０１２−９５０６９号公報の図３及び図４
【発明の概要】
【発明が解決しようとする課題】
【００１１】
本発明は、上記の事情に鑑みてなされたものであり、適切な省電力化処理を適時に実行することができる携帯情報端末を提供することを目的とする。また、ユーザ操作を煩雑化させることなく、ユーザにより選択された省電力化処理を実行する携帯情報端末を提供することを目的とする。
【００１２】
特に、ユーザ操作を煩雑化させることなく、ロック解除時に省電力化処理を実行することができる携帯情報端末を提供することを目的とする。また、電池残量に応じて適切な省電力化処理を実行することができる携帯情報端末を提供することを目的とする。
【００１３】
また、このような携帯情報端末の制御方法を提供することを目的とする。さらに、このような携帯情報端末用のコンピュータプログラムを提供することを目的とする。
【課題を解決するための手段】
【００１４】
第１の本発明による携帯情報端末は、表示面上に画像を表示するとともに、上記表示面へのタッチ操作を検出するタッチパネルを備えた携帯情報端末において、非ロック状態では、アプリケーションプログラムを選択するためのプログラム選択画面を上記表示面に表示し、ロック状態では、ロック画面を上記表示面に表示する表示制御手段と、上記ロック画面上の第１のロック解除操作子に対するユーザ操作に基づいて、上記タッチパネルを非ロック状態に遷移させる第１のロック解除手段と、上記ロック画面上の第２のロック解除操作子に対するユーザ操作に基づいて、上記タッチパネルを非ロック状態に遷移させるとともに省電力化処理を行い、第１のロック解除手段により遷移した場合に比べて、遷移後における消費電力を抑制する第２のロック解除手段と、内蔵電池の電池残量を検出する電池残量検出手段とを備え、上記表示制御手段が、上記電池残量に基づいて、上記ロック画面上に第２のロック解除操作子を表示するように構成される。
【００１５】
この様な構成により、ロック画面上には、第１及び第２のロック解除操作子が表示され、ユーザは第１及び第２のロック解除操作子を選択的に操作することができる。また、第２のロック解除操作子が操作された場合には、ロック解除とともに省電力化処理が実行され、第１のロック解除操作子が操作された場合に比べて、その後の消費電力を低減することができる。
【００１６】
従って、ユーザは、ロック解除操作子を選択すれば、ロック解除時に省電力化処理を行うことを選択することができ、ユーザの意思に基づいて省電力化処理を実行することができる。また、追加的な操作を必要とせず、操作を煩雑化させることもなく、省電力化処理を行うか否かをユーザに選択させることができる。しかも、第２のロック解除操作子は、内蔵電池の電池残量に基づいて表示されるため、ユーザは、第２のロック解除操作子を選択すれば、電池残量に応じた省電力化処理を実行することができる。
【００１７】
第２の本発明による携帯情報端末は、上記構成に加えて、２以上の上記省電力化処理の中から、上記電池残量に基づいて、ロック解除時に実行することを推奨する上記省電力化処理を推奨処理として選択する推奨処理選択手段を備え、上記表示制御手段が、上記推奨処理を実行するための第２のロック解除操作子を上記ロック画面上に表示するように構成される。
【００１８】
この様な構成により、２以上の省電力化処理の中から、ロック解除時に実行することを推奨する省電力化処理が推奨処理として選択され、当該推奨処理を実行するための第２のロック解除操作子がロック画面に表示される。このため、省電力化処理の数に応じて、ロック画面上に多数の第２のロック解除操作子が表示される場合に比べて、操作性を向上させることができる。
【００１９】
第３の本発明による携帯情報端末は、上記構成に加えて、上記推奨処理選択手段が、予め定められた推奨数を超えない数の上記省電力化処理を推奨処理として選択し、上記表示制御手段が、上記推奨処理にそれぞれ対応づけられた１又は２以上の第２のロック解除操作子を上記ロック画面上に表示するように構成される。
【００２０】
この様な構成により、予め定められた推奨数の範囲内で、２以上の省電力化処理を推奨処理として選択することができ、２以上の第２のロック解除操作子を表示することができる。このため、多数の省電力化処理を提示する場合と比較して、ユーザによる第２のロック解除操作子の選択判断を難しくすることなく、省電力化処理について２以上の選択肢を示すことができる。
【００２１】
第４の本発明による携帯情報端末は、上記構成に加えて、上記ロック画面上に表示された２以上の第２のロック解除操作子は、ユーザが同時に操作することができ、２以上の第２のロック解除操作子が同時に操作された場合に、操作された第２のロック解除操作子にそれぞれ対応づけられた２以上の省電力化処理がともに実行されるように構成される。
【００２２】
この様な構成により、ロック画面上に２以上の第２のロック解除操作子が表示されている場合、これらの第２のロック解除操作子のうち、２以上をともに選択することができる。従って、ユーザは、２以上の省電力化処理の組み合わせを選択することができる。なお、ここでいう同時の操作とは、例えば、一方の第２のロック解除操作子に対するユーザ操作が終了する前に、他方の第２のロック解除操作子に対するユーザ操作が開始され、それぞれの操作期間が互いに重複しているような関係を含む。
【００２３】
第５の本発明による携帯情報端末は、上記構成に加えて、上記省電力化処理が対象とする機能ごとに、使用履歴及び電池消費量を保持する記憶手段と、上記使用履歴に基づいて、２以上の上記省電力化処理の中から、１又は２以上の上記省電力化処理を第１の候補処理として選択する第１の候補処理選択手段と、上記電池消費量に基づいて、２以上の上記省電力化処理の中から、１又は２以上の上記省電力化処理を第２の候補処理として選択する第２の候補処理選択手段とを備え、上記推奨処理選択手段は、上記電池残量を予め定められた閾値と比較し、上記電池残量が閾値を超えていれば、第１の候補処理を上記推奨処理として選択する一方、上記電池残量が閾値以下であれば、第２の候補処理を上記推奨処理として選択するように構成される。
【００２４】
この様な構成により、省電力化処理が対象とする機能ごとの使用履歴に基づいて、第１の候補処理が選択される一方、省電力化処理が対象とする機能ごとの電池消費量に基づいて、第２の候補処理が選択される。そして、電池残量に基づいて、第１又は第２の候補処理のいずれか一方が推奨処理として選択される。つまり、推奨処理を選択する際、電池残量に応じて異なる基準で省電力化処理が選択される。このため、適切な省電力化処理を選択することができる。
【００２５】
第６の本発明による携帯情報端末は、上記構成に加えて、上記使用履歴を計測し、上記記憶手段に格納する使用履歴計測手段を備え、第１の候補処理選択手段が、第１の候補処理として、より利用頻度の低い上記機能を対象とする省電力化処理を優先的に選択するように構成される。
【００２６】
この様な構成により、ユーザの利便性を損なう可能性の低い省電力化処理を推奨処理として選択することができる。特に、電池残量が比較的多い場合に推奨処理に採用される第１の候補処理の選択において、この様な選択方法を採用することにより、ユーザは、より適切な省電力化処理を選択することが可能になる。
【００２７】
第７の本発明による携帯情報端末は、上記構成に加えて、上記記憶手段が、上記省電力化処理が対象とする機能ごとに、動作状態を予め指定するためのユーザ設定を保持し、第１の候補処理選択手段は、上記ユーザ設定に基づいて、その実行が許可されている上記機能を対象とする第１の候補処理を選択するように構成される。
【００２８】
実行が許可されていない機能を対象とする省電力化処理を実行したとしても、消費電力の低減効果を得ることはできない。このため、ユーザ設定に基づいて、その実行が許可されている機能を対象とする省電力化処理を第１の候補処理として選択すれば、消費電力の低減効果が得られない省電力化処理が第１の候補処理として選択されることがなく、適切な省電力化処理を推奨処理として選択することができる。
【００２９】
第８の本発明による携帯情報端末は、上記構成に加えて、上記電池消費量を計測し、上記記憶手段に格納する電池消費量計測手段を備え、第２の候補処理選択手段が、第２の候補処理として、より消費電力の低減効果が大きい上記機能を対象とする省電力化処理を優先的に選択するように構成される。
【００３０】
この様な構成により、消費電力の低減効果が大きい省電力化処理を推奨処理として選択することができる。特に、電池残量が比較的少ない場合に推奨処理に採用される第２の候補処理の選択において、この様な選択方法を採用することにより、ユーザは、より適切な省電力化処理を選択することが可能になる。
【００３１】
第９の本発明による携帯情報端末は、上記構成に加えて、上記記憶手段が、上記省電力化処理が対象とする機能ごとに、動作状態を予め指定するためのユーザ設定を保持し、第２の候補処理選択手段は、上記ユーザ設定に基づいて、その実行が許可されている上記機能を対象とする第２の候補処理を選択するように構成される。
【００３２】
実行が許可されていない機能を対象とする省電力化処理を実行したとしても、消費電力の低減効果を得ることはできない。このため、ユーザ設定に基づいて、その実行が許可されている機能を対象とする省電力化処理を第２の候補処理として選択すれば、消費電力の低減効果が得られない省電力化処理が第２の候補処理として選択されることがなく、適切な省電力化処理を推奨処理として選択することができる。
【００３３】
第１０の本発明による携帯情報端末は、上記構成に加えて、上記ロック画面を表示させるためのユーザ操作を検出するユーザ操作検出手段を備え、上記表示制御手段が、上記ユーザ操作に基づいて、第１のロック解除操作子を含む上記ロック画面を表示し、上記推奨処理選択手段が、上記ユーザ操作に基づいて、上記推奨処理を選択し、上記表示制御手段が、第１のロック解除操作子よりも遅れて第２のロック解除操作子を上記ロック画面上に表示するように構成される。
【００３４】
この様な構成により、推奨処理が選択されるのを待つことなく、第１のロック解除操作子をロック画面上に表示させることができ、推奨処理が選択された時点で、第２のロック解除操作子もロック画面上に表示させることができる。このため、ロック画面を表示させるためのユーザ操作があった場合に、迅速にロック画面を表示させることができ、操作性を低下させることがない。
【００３５】
第１１の本発明による携帯情報端末の制御方法は、表示面上に画像を表示するとともに、上記表示面へのタッチ操作を検出するタッチパネルを備えた携帯情報端末の制御方法であって、非ロック状態では、アプリケーションプログラムを選択するためのプログラム選択画面を上記表示面に表示し、ロック状態では、ロック画面を上記表示面に表示する表示制御ステップと、上記ロック画面上の第１のロック解除操作子に対するユーザ操作に基づいて、上記タッチパネルを非ロック状態に遷移させる第１のロック解除ステップと、上記ロック画面上の第２のロック解除操作子に対するユーザ操作に基づいて、上記タッチパネルを非ロック状態に遷移させるとともに省電力化処理を行い、第１のロック解除手段により遷移した場合に比べて、遷移後における消費電力を抑制する第２のロック解除ステップと、内蔵電池の電池残量を検出する電池残量計検出ステップとを備え、上記表示制御ステップでは、上記電池残量に基づいて、上記ロック画面上に第２のロック解除操作子を表示するように構成される。
【００３６】
第１２の本発明による携帯情報端末用のコンピュータプログラムは、表示面上に画像を表示するとともに、上記表示面へのタッチ操作を検出するタッチパネルを備えた携帯情報端末用のコンピュータプログラムであって、非ロック状態では、アプリケーションプログラムを選択するためのプログラム選択画面を上記表示面に表示し、ロック状態では、ロック画面を上記表示面に表示する表示制御ステップと、上記ロック画面上の第１のロック解除操作子に対するユーザ操作に基づいて、上記タッチパネルを非ロック状態に遷移させる第１のロック解除ステップと、上記ロック画面上の第２のロック解除操作子に対するユーザ操作に基づいて、上記タッチパネルを非ロック状態に遷移させるとともに省電力化処理を行い、第１のロック解除手段により遷移した場合に比べて、遷移後における消費電力を抑制する第２のロック解除ステップと、内蔵電池の電池残量を検出する電池残量計検出ステップとを実行するための手順からなり、上記表示制御ステップでは、上記電池残量に基づいて、上記ロック画面上に第２のロック解除操作子を表示するように構成される。
【発明の効果】
【００３７】
本発明によれば、適切な省電力化処理を適時に実行することができる携帯情報端末を提供することができる。また、ユーザ操作を煩雑化させることなく、ユーザが選択した省電力化処理を実行する携帯情報端末を提供することができる。
【００３８】
特に、ユーザ操作を煩雑化させることなく、ロック解除時に省電力化処理を実行することができる携帯情報端末を提供することができる。また、電池残量に応じて適切な省電力化処理を実行することができる携帯情報端末を提供することができる。
【図面の簡単な説明】
【００３９】
【図１】本発明の実施の形態による携帯電話機１の一構成例を示した外観図である。
【図２】図１のタッチパネル１０の動作状態の変化を示す状態遷移図である。
【図３】図１のタッチパネル１０に表示される通常画面ＮＳの一例を示した図である。
【図４】図１のタッチパネル１０に表示されるロック画面の一例を示した図であり、図中の（ａ）には、一般ロック画面ＲＳ１が示され、（ｂ）には、省電力ロック画面ＲＳ２が示されている。
【図５】ユーザが通常スライダー２１をスライド操作し、ロック状態を解除する様子を示した図である。
【図６】ユーザが省電力スライダー２２をスライド操作し、ロック状態を解除する様子を示した図である。
【図７】ユーザが２つの省電力スライダー２２を同時にスライド操作する様子を示した図である。
【図８】図１の携帯電話機１の内部構成の一例を示したブロック図であり、主要な回路構成の一例が示されている。
【図９】図８の記憶装置１６内に保持されるユーザ設定１６Ａの一例を示した図である。
【図１０】図８の記憶装置１６内に保持される使用履歴１６Ｂの一例を示した図である。
【図１１】図８の記憶装置１６内に保持される電池消費量１６Ｃの一例を示した図である。
【図１２】図１の携帯電話機１の内部構成の一例を示したブロック図であり、主要な機能構成の一例が示されている。
【図１３】携帯電話機１の動作の一例を示したフローチャートであり、ロック画面の表示処理の手順が示されている。
【図１４】携帯電話機１の動作の一例を示したフローチャートであり、ロック解除処理の手順が示されている。
【図１５】図１３に示した推奨処理の選択（ステップＳ１０１）の詳細手順を示したフローチャートである。
【図１６】ロック画面の表示処理の手順について他の例を示したフローチャートである。
【発明を実施するための形態】
【００４０】
実施の形態１．
図１は、本発明の実施の形態１による携帯情報端末の一構成例を示した外観図であり、携帯情報端末の一例として、携帯電話機１が示されている。この携帯電話機１は、略矩形の操作面を有する薄型筐体からなり、通話時には縦長状態になる上記操作面には、上方から順にレシーバ１Ｒ、タッチパネル１０及び操作キー１１が配置され、下方の端面には、マイクロフォン１Ｍが配置されている。
【００４１】
タッチパネル１０は、表示面上に画像を表示するための表示装置１０Ａと、上記表示面に対するユーザのタッチ操作を検出するタッチセンサ１０Ｂとによって構成される入出力装置である。例えば、表示装置１０Ａには液晶表示装置が用いられ、タッチセンサ１０Ｂには静電容量式のセンサが用いられる。操作キー１１は、ユーザの押下操作を検出する接点式スイッチである。レシーバ１Ｒ及びマイクロフォン１Ｍは、通話用の音声入出力装置である。
【００４２】
表示装置１０Ａが、表示面上に操作子を表示している状態において、これらの操作子に対するタッチ操作をユーザが行った場合、タッチセンサ１０Ｂが、当該タッチ操作の操作位置を検出することにより、タッチ操作された操作子が判別される。上記操作子は、表示面上に表示されるアイコンであり、例えば、ボタンやスライダーのアイコンからなる。また、上記タッチ操作は、例えば、タップ操作やスライド操作からなる。
【００４３】
なお、図１では、携帯電話機１の一例として、いわゆるスマートフォンが示されているが、本発明による携帯情報端末は、タッチパネル１０を備えた携帯可能な端末であればよく、スマートフォン以外の携帯電話機にも適用することができる。また、通信機能や通話機能を有する端末に限定されず、例えば、タブレット形コンピュータにも適用することができる。
【００４４】
図２は、図１のタッチパネル１０の動作状態の変化を示す状態遷移図である。タッチパネル１０は、バックライトを消灯して表示を行わないスリープ状態Ｓ１と、ロック画面を表示するロック状態Ｓ２と、通常画面を表示する非ロック状態Ｓ３との間を遷移する。
【００４５】
スリープ状態Ｓ１は、最も消費電力が少ない動作状態であり、一定時間継続してユーザ操作が行われなければ、タッチパネル１０はスリープ状態に移行して消費電力を抑制する。タッチパネル１０がスリープ状態Ｓ１のときにユーザがスリープ復帰操作を行えば、タッチパネル１０は、ロック状態Ｓ２に移行し、表示面上にはロック画面が表示される。スリープ復帰操作は、ロック画面を表示させるためのユーザ操作であり、例えば、いずれかの操作キー１１に対する押下操作からなる。
【００４６】
引き続きユーザが表示面上でロック解除操作を行えば、ロックが解除される。つまり、タッチパネル１０はロック状態Ｓ２から非ロック状態Ｓ３へ移行し、表示面上に通常画面が表示される。
【００４７】
ただし、ロック状態Ｓ２、非ロック状態Ｓ３のいずれであっても、一定時間継続してユーザ操作を行わなければ、スリープ状態Ｓ１へ移行する。また、ロック解除時に認証処理が行われる場合には、ロック解除操作によって認証画面が表示され、パスワード認証などの認証処理が行われる。そして、非ロック状態Ｓ３への移行は、当該認証処理に成功した場合にのみ行われる。
【００４８】
図３は、図１のタッチパネル１０に表示される通常画面ＮＳの一例を示した図である。通常画面ＮＳは、非ロック状態のときに表示される画面であり、ロック解除の直後は、図３に示したような待ち受け画面が表示される。待ち受け画面は、２以上のアイコン２０が表示され、任意のアイコン２０に対しタッチ操作を行うことにより、当該アイコンに対応づけられたアプリケーションプログラムを起動することができるプログラム選択画面である。アプリケーションプログラムの起動後は、当該アプリケーションプログラムが生成する画面が通常画面ＮＳとして表示され、アプリケーションプログラムの終了後は、再び待ち受け画面が表示される。
【００４９】
図４は、図１のタッチパネル１０に表示されるロック画面の一例を示した図であり、図中の（ａ）には、一般ロック画面ＲＳ１が示され、（ｂ）には、省電力ロック画面ＲＳ２が示されている。携帯電話機１では、ロック状態のときに一般ロック画面ＲＳ１又は省電力ロック画面ＲＳ２のいずれか一方がロック画面として表示される。一般ロック画面ＲＳ１には、通常スライダー２１のみが設けられているのに対し、省電力ロック画面ＲＳ２には、通常スライダー２１に加えて、１又は２以上の省電力スライダー２２が設けられている。
【００５０】
通常スライダー２１は、ロック状態を解除するためのロック解除操作子であり、タッチパネル１０の表示面上にスライド可能に表示されるアイコンからなる。ユーザは、通常スライダー２１をスライド操作することにより、タッチパネル１０をロック状態から非ロック状態に遷移させ、通常画面を表示させることができる。
【００５１】
省電力スライダー２２も、通常スライダー２１と同様、ロック状態を解除するためのロック解除操作子であり、タッチパネル１０の表示面上にスライド可能に表示されるアイコンからなる。ただし、省電力スライダー２２を操作した場合、ロック解除だけでなく省電力化処理も行われる点で、通常スライダー２１を操作した場合とは異なる。
【００５２】
省電力化処理は、特定の機能を実現するための処理を停止又は抑制することにより、ロック解除後における消費電力を削減する処理である。このため、省電力スライダー２２を操作してロック解除した場合には、通常スライダー２１を操作してロック解除した場合に比べ、その後の非ロック状態における消費電力を低減することができる。
【００５３】
携帯電話機１は、予め定められた２以上の省電力化処理の中から、ロック解除時に実行することを推奨する省電力化処理を推奨処理として選択する。各省電力化処理は、互いに異なる機能にそれぞれ対応づけられており、対応する機能のユーザ設定をオン（有効）からオフ（無効）へ変更し、あるいは、当該機能のグレードレベルを低下させることにより、消費電力を低減する。推奨処理の選択は、その時点における携帯電話機１の内部状態、つまり、スリープ解除操作が行われたとき、あるいは、その後のロック状態における内部状態に基づいて行われる。例えば、電池残量や、機能ごとのユーザ設定、使用履歴又は電池消費量などに基づいて行われる。
【００５４】
この様にして選択された推奨処理に対応する省電力スライダー２２が、通常スライダー２１とともに画面に配置され、省電力ロック画面ＲＳ２が形成される。図４では、通常スライダー２１に加えて、地図アプリケーションのバックグラウンド動作のユーザ設定をオフ（無効）にする省電力化処理に対応づけられた省電力スライダー２２と、ＷＬＡＮ（Wireless Local Area Network）のユーザ設定をオフ（無効）にする省電力化処理に対応づけられた省電力スライダー２２とがロック画面内に表示されている。
【００５５】
なお、一般ロック画面ＲＳ１は、推奨処理を選択することができない場合に表示される。例えば、省電力化処理の対象となる機能の全てについて、ユーザ設定がオフ（無効）になっている場合、推奨すべき省電力化処理は存在しないから、省電力スライダー２２が配置されていない一般ロック画面ＲＳ１が表示される。
【００５６】
また、ここでは、１個の省電力スライダー２２に対し、１つの省電力化処理を対応づける場合の例について説明したが、１個の省電力スライダー２２に対し、２以上の省電力化処理を対応づけることもできる。
【００５７】
図５〜図７は、省電力ロック画面ＲＳ２におけるロック解除操作の一例を示した図である。図５は、ユーザが通常スライダー２１をスライド操作し、ロック状態を解除する様子を示した図である。まず、指先を通常スライダー２１に接触させ、その後、指先を表示面から離すことなく右へ移動させれば、通常スライダー２１を移動させることができる。このとき、通常スライダー２１を右端まで移動させることなく、指先を表示面から離せば、通常スライダー２１は左端の位置に復帰するが、通常スライダー２１を右端まで移動させた状態で、指先を表示面から離せば、ロック状態が解除され、非ロック状態となる。
【００５８】
図６は、ユーザが省電力スライダー２２をスライド操作し、ロック状態を解除する様子を示した図である。省電力スライダー２２に対する操作は、通常スライダー２１に対するスライド操作と全く同一である。
【００５９】
図７は、ユーザが２つの省電力スライダー２２を同時にスライド操作する様子を示した図である。タッチパネル１０がマルチタッチを検出可能である場合、２つの省電力スライダー２２を同時に操作することもできる。つまり、２本の指先を２個の省電力スライダー２２にそれぞれ接触させ、その後、２本の指先を表示面から離すことなく右へ移動させれば、２個の省電力スライダー２２をともに移動させることができる。そして、両方の省電力スライダー２２を右端まで移動させた状態で、指先を表示面から離せば、省電力スライダー対応づけられた省電力化処理が、それぞれ実行される。
【００６０】
２つの省電力スライダー２２に対し同時にスライド操作が行われたか否かは、例えば、一方の省電力スライダー２２に対する操作が終了する前に、他方の省電力スライダー２２に対する操作が開始され、２つの省電力スライダー２２に対する操作期間が重複しているか否かによって判断することができる。つまり、一方の省電力スライダー２２からユーザの指が離れる前に、他方の省電力スライダー２２にユーザの指が触れた場合には、これらの省電力スライダー２２が同時に操作されたと判断することができる。
【００６１】
つまり、省電力スライダー２２に対する操作は、通常スライダー２１に対する操作と同様であり、ユーザ操作を煩雑化させることなく、ロック解除時省電力化処理を実行することができる。また、省電力化処理を行うか否かは、操作対象のスライダーを選択することにより行われるため、ユーザの意思を反映させることができ、利便性を損ねることはない。さらに、多数の省電力化処理のうち、推奨される省電力化処理のみが推奨処理として選択され、当該推奨処理に対応する省電力スライダー２２のみが表示されるため、ユーザによるスライダー２１，２２の選択が煩雑化することもない。
【００６２】
図８は、図１の携帯電話機１の内部構成の一例を示したブロック図であり、主要な回路構成の一例が示されている。この携帯電話機１は、主要な制御を行っているプロセッサ１２と、アンテナを介してセルラー基地局との間で無線通信を行う無線通信部１３と、図示しない内蔵電池の残容量を検出する電池残量検出部１４と、１又は２以上の周辺回路１５Ａ〜１５Ｄと、記憶装置１６とを備えている。
【００６３】
ここでは、周辺回路として、アクセスポイントとの間で無線通信を行うＷＬＡＮ制御部１５Ａ、周辺装置との間で無線通信を行うＢｌｕｅｔｏｏｔｈ（登録商標）制御部１５Ｂ、衛星信号を受信して位置情報を取得するＧＰＳ（Global Positioning System）制御部１５Ｃ、ユーザの歩数を計数する歩数計１５Ｄを備えているものとする。これらの周辺回路を用いて実現される機能は、いずれも省電力化処理の対象となっている。
【００６４】
記憶装置１６は、プロセッサ１２が用いるデータを保持する記憶手段であり、例えば、フラッシュメモリが用いられる。ここでは、省電力化処理の対象となっている機能ごとのデータとして、ユーザ設定１６Ａ、使用履歴１６Ｂ及び電池消費量１６Ｃが、記憶装置１６内に保持されているものとする。
【００６５】
表示装置１０Ａは、表示パネル１０１及びバックライト１０２からなる。表示パネル１０１は透過型の液晶表示パネルであり、バックライト１０２を点灯させることにより画像表示を行うことができる。つまり、スリープ状態では、バックライト１０２を消灯させ、ロック状態や非ロック状態では、バックライトを点灯させている。また、表示装置１０Ａの明るさは、バックライト１０２の輝度によって調整される。
【００６６】
図９は、図８の記憶装置１６内に保持されるユーザ設定１６Ａの一例を示した図である。ユーザ設定１６Ａは、省電力化処理の対象となる機能ごとに、ユーザによって予め指定されるデータである。つまり、ここでいう「機能」とは、ユーザ設定１６Ａに対応づけられたものであり、ユーザ設定１６Ａと換言することもできる。
【００６７】
従って、省電力化処理の対象となる機能は、周辺回路１５Ａ〜１５Ｄを用いて実現される機能だけに限定されず、アプリケーションプログラムを実行することにより実現される機能も省電力化処理の対象にすることができる。ここでは、主として周辺回路１５Ａ〜１５Ｄを用いて実現される機能を「ハードウエア機能」と呼び、主としてアプリケーションプログラムを実行することにより実現される機能を「ソフトウエア機能」と呼ぶことにする。
【００６８】
ユーザ設定１６Ａは、対応する機能の動作状態を示すデータであり、オン又はオフを示すデータ、あるいは、グレードレベルを示すデータからなる。機能のオン又はオフとは、当該機能を実現するための処理を実行するか否かを意味し、オフにした場合には、オンにした場合に比べて、消費電力を低減することができる。また、グレードレベルは、実現される機能の品位又は性能、例えば、これらに直結する処理精度、処理頻度、出力値などを意味し、グレードレベルに応じて、当該機能を実現するための消費電力が変化する。
【００６９】
図９（ａ）には、ハードウエア機能に関するユーザ設定１６Ａが示されている。ＷＬＡＮ制御部１５Ａ、Ｂｌｕｅｔｏｏｔｈ制御部１５Ｂ、ＧＰＳ制御部１５Ｃ、歩数計１５Ｄについては、オン又はオフがユーザ設定１６Ａとして指定され、バックライト１０２については、１〜５の輝度レベルが、ユーザ設定１６Ａとして指定される。
【００７０】
図中では、ＷＬＡＮ制御部１５Ａが「オン」、Ｂｌｕｅｔｏｏｔｈ制御部１５Ｂが「オフ」、ＧＰＳ制御部１５Ｃが「オン」、歩数計１５Ｄが「オン」、バックライト１０２の輝度レベルが「３」となるようにユーザが指定した場合の例が示されている。
【００７１】
図９（ｂ）には、ソフトウエア機能に関するユーザ設定１６Ａが示されている。アプリケーションソフトウエアの実行は、当該アプリケーションプログラムを明示的に指定したユーザの起動操作により実行される。このため、ソフトウエア機能に対するユーザ設定１６Ａは、バックグラウンドで動作するアプリケーションプログラムについて、バックグラウンドで動作することを許可するか否か、あるいは、バックグラウンドで動作する頻度が指定される。
【００７２】
ここでは、ＳＮＳ、メール、地図、音楽の各プリケーションプログラムについて、バックグラウンド動作を許可するか否かが、ユーザ設定１６Ａとして指定されるものとする。図中では、ＳＮＳについて「オン」、メールについて「オフ」、地図について「オン」、音楽について「オン」がユーザにより指定された場合の例が示されている。
【００７３】
図１０は、図８の記憶装置１６内に保持される使用履歴１６Ｂの一例を示した図である。使用履歴１６Ｂは、省電力化処理の対象となる機能ごとに計測された使用頻度であり、例えば、過去の一定期間内における使用回数又は累積使用時間からなる。ここでは、直近の１週間における累積使用時間が使用履歴１６Ｂとして保持されているものとする。なお、使用履歴１６Ｂは、ハードウエア機能のみを対象とし、ソフトウエア機能は対象としないものとする。
【００７４】
ここで、ＷＬＡＮ制御部１５Ａが「６０分」、Ｂｌｕｅｔｏｏｔｈ制御部１５Ｂが「５分」、ＧＰＳ制御部１５Ｃが「１０分」、歩数計１５Ｄが「２４００分」であった場合の例が示されている。なお、バックライト１０２については、単独の機能として、その使用頻度を考慮して推奨処理を選択することは適切でないため、例外的に使用履歴１６Ｂの計測を行っていない。
【００７５】
図１１は、図８の記憶装置１６内に保持される電池消費量１６Ｃの一例を示した図である。電池消費量１６Ｃは、省電力化処理の対象となる機能ごとに求められる単位時間当たりの消費電力である。
【００７６】
ハードウエア機能については、単位時間当たりの消費電力が既知であれば、その値を電池消費量１６Ｃとして用いることができる。ただし、携帯電話機１内の計測手段により当該機能による消費電力が計測できる場合には、当該ハードウエア機能を使用している状態で計測された単位時間当たりの消費電力の実測値を電池消費量１６Ｃとして用いることもできる。
【００７７】
一方、ソフトウエア機能については、当該アプリケーションプログラムのバックグラウンド動作がプロセッサ１２を占有する占有時間を計測し、一定期間内における占有時間から電池消費量１６Ｃを求めることができる。この場合、アプリケーションプログラムが異なっても、プロセッサ１２の占有時間が一定であれば、プロセッサ１２の消費電力は一定であると仮定して、電池消費量１６Ｃを求めてもよいし、占有時間と、アプリケーションごとに異なる負荷係数との積を求めて電池消費量１６Ｃとすることもできる。なお、電池消費量１６Ｃを求める場合の一定期間と、使用履歴１６Ｂを求める場合の一定期間とが一致している必要がないことは言うまでもない。
【００７８】
図１１（ａ）には、各ハードウエア機能の電池消費量１６Ｃが示されている。ここでは、ＷＬＡＮ制御部１５Ａが「１０」、Ｂｌｕｅｔｏｏｔｈ制御部１５Ｂが「８」、ＧＰＳ制御部１５Ｃが「５」、歩数計１５Ｄが「１」であった場合の例が示されている。これらの消費電力量はいずれも動作中の値であり、停止中の値はいずれもゼロになっている。また、バックライト１０２は、輝度レベル１〜５に応じて電池消費量１６Ｃも１〜５に変化する。
【００７９】
図１１（ｂ）には、各ソフトウエア機能のプロセッサ占有時間と電池消費量１６Ｃが示されている。ここでは、プロセッサ占有時間について、ＳＮＳが「５分」、メールが「１分」、地図が「１０分」、音楽が「１分」であった場合の例が示されている。また、プロセッサ占有時間をそのまま電池消費量１６Ｃとして用いられている。つまり、電池消費量１６Ｃは、ＳＮＳが「５」、メールが「１」、地図が「１０」、音楽が「１」であった場合の例が示されている。
【００８０】
図１２は、図１の携帯電話機１の内部構成の一例を示したブロック図であり、主要な機能構成の一例が示されている。図中に示された使用履歴計測部１２０、電池消費量計測部１２１、第１の候補処理選択部１２２、第２の候補処理選択部１２３、推奨処理選択部１２４及び表示制御部１２５は、いずれもプロセッサ１２がコンピュータプログラムを実行することによって実現される機能ブロックである。
【００８１】
使用履歴計測部１２０は、機能ごとの使用履歴１６Ｂを求め、記憶装置１６内に格納する。電池消費量計測部１２１は、機能ごとの電池消費量１６Ｃを求めて、記憶装置１６内に格納する。
【００８２】
第１の候補処理選択部１２２は、ユーザ設定１６Ａ及び使用履歴１６Ｂに基づいて、予め定められた２以上の省電力化処理のうち、１又は２以上の省電力化処理を第１の候補処理として選択し、選択結果を推奨処理選択部１２４へ出力する。この第１の候補処理選択部１２２では、消費電力の低減効果が期待でき、かつ、より使用頻度が低い機能に対応する省電力化処理が、候補処理として選択される。また、選択される省電力化処理の数は、予め定められた推奨数Ｎｒを越えないように選択される。推奨数Ｎｒは、例えば、３以下の整数値として予め定められている。
【００８３】
まず、ユーザ設定１６Ａに基づいて、消費電力の低減効果が期待できる省電力化処理が抽出される。具体的には、現在のユーザ設定１６Ａが「オン」になっている機能を対象とする省電力化処理のみが抽出される。現在のユーザ設定１６Ａが「オフ」であれば、ユーザ設定１６Ａを変更しても消費電力を低減することはできないことから、ユーザ設定１６Ａが「オン」になっている機能に対応する省電力化処理のみに絞り込まれる。
【００８４】
次に、使用履歴１６Ｂに基づいて、より使用頻度が低い機能に対応する省電力化処理を優先して、推奨数Ｎｒに達するまで、候補処理を選択する。使用頻度の低い機能は、ユーザ設定をオンからオフへ変更しても、著しく利便性を損う可能性が低い。このため、第１の候補処理選択部１２２では、使用頻度を相対的に比較し、使用頻度がより低い省電力化処理を候補処理として選択する。
【００８５】
例えば、第１の候補処理選択部１２２では、図１０に示されたハードウエア機能のうち、バックライト１０２を除く各機能を対象とする省電力化処理の中から、第１の候補処理が選択される。つまり、ＷＬＡＮ制御部１５Ａ、Ｂｌｕｅｔｏｏｔｈ制御部１５Ｂ、ＧＰＳ制御部１５Ｃ及び歩数計１５Ｄをそれぞれ対象とする４つの省電力化処理の中から候補処理が選択される。また、推奨数Ｎｒは２個であるものとする。
【００８６】
第２の候補処理選択部１２３は、ユーザ設定１６Ａ及び電池消費量１６Ｃに基づいて、予め定められた２以上の省電力化処理のうち、１又は２以上の省電力化処理を第２の候補処理として選択し、選択結果を推奨処理選択部１２４へ出力する。この第２の候補処理選択部１２３では、消費電力の低減効果のより大きな省電力化処理が、候補処理として選択される。また、選択される候補処理の数は、予め定められた推奨数Ｎｒを越えないように選択される。
【００８７】
まず、第１の候補処理選択部１２２の場合と同様、ユーザ設定１６Ａに基づいて、消費電力の低減効果が期待できる省電力化処理が抽出される。具体的には、現在のユーザ設定１６Ａが「オン」になっている機能を対象とする省電力化処理のみが抽出される。
【００８８】
次に、電池消費量１６Ｃに基づいて、消費電力の低減効果がより大きな機能を対象とする省電力化処理を優先して、推奨数Ｎｒに達するまで、候補処理を選択する。電池消費量１６Ｃが大きな機能についてユーザ設定１６Ａを「オン」から「オフ」へ変更すれば、より大きな消費電力の低減効果が得られる。また、輝度レベルが調整可能なバックライト１０２の場合であれば、輝度レベルを低下させることにより、電池消費量を低下させることができる。このため、第２の候補処理選択部１２３では、機能ごとに削減できる電池消費量を相対的に比較し、消費電力の低減効果がより大きな候補処理を候補処理として選択する。
【００８９】
例えば、第２の候補処理選択部１２３では、図１１に示されたハードウエア機能及びソフトウエア機能を対象とする９つの省電力化処理の中から、候補処理が選択される。
【００９０】
推奨処理選択部１２４は、電池残量に基づいて、１又は２以上の省電力化処理を推奨処理として選択し、表示制御部１２５へ出力する。推奨処理選択部１２４には、使用頻度により選択された第１の候補処理の選択結果が入力されるとともに、電池消費量により選択された第２の候補処理の選択結果が入力される。これらの選択結果のいずれか一方が、推奨処理選択部１２４において推奨処理として採用される。換言すれば、推奨処理選択部１２４は、電池残量に基づいて、第１の候補処理選択部１２２と、第２の候補処理選択部１２３のいずれか一方を推奨処理の選択手段として指定している。
【００９１】
まず、推奨処理選択部１２４では、電池残量検出部１４により検出された内蔵電池の電池残量を予め定められた閾値と比較する。その結果、電池残量が上記閾値を越えている場合、電池残量は多いと判断する。この場合、第１の候補処理選択部１２２により選択された第１の候補処理を推奨処理として採用する。一方、電池残量が閾値以下であった場合、電池残量は少ないと判断する。この場合、第２の候補処理選択部１２３により選択された第２の候補処理を推奨処理として採用する。
【００９２】
２以上の省電力化処理のいずれかを選択する場合、ユーザの利便性と省電力効果のいずれを優先するのかが問題となる。このため、第１の候補処理選択部１２２では、利便性を優先して候補処理を選択し、第２の候補処理選択部１２３では、省電力効果を優先して候補処理を選択している。そして、推奨処理選択部１２４が、電池残量が多い場合には、利便性を優先し、第１の候補処理選択部１２２の選択結果を採用し、電池残量が少ない場合には、省電力効果を優先し、第２の候補処理選択部１２３の選択結果を採用する。
【００９３】
表示制御部１２５は、ロック画面、通常画面などの画像データを生成し、表示パネル１０１へ出力する。つまり、ロック画面の画像データは、推奨処理選択部１２４の選択結果に基づいて、表示制御部１２５が生成している。推奨処理選択部１２４において推奨処理が選択された場合には、通常スライダー２１と、推奨処理に対応づけられた１又は２以上の省電力スライダー２２とを含む省電力ロック画面ＲＳ２の画像データが生成される。一方、推奨処理選択部１２４において推奨処理が選択されなかった場合には、省電力スライダー２２を含まない一般ロック画面ＲＳ１の画像データが生成される。なお、各省電力スライダー２２には、省電力化処理の対象となる機能を文字又はアイコンで明示し、ユーザが、自身の携帯電話機１の使用状況に応じて、省電力スライダー２２を選択できるようにすることが望ましい。
【００９４】
図１３のステップＳ１０１〜Ｓ１０４は、携帯電話機１の動作の一例を示したフローチャートであり、ロック画面の表示処理の手順が示されている。この表示処理は、スリープ解除操作が行われた場合に開始される。まず、予め定められた２以上の省電力化処理の中から１又は２以上の推奨処理が選択される（ステップＳ１０１）。このとき、推奨処理が選択されていない場合、つまり、ユーザ対して推奨すべき省電力化処理がみつからなかった場合には、一般ロック画面ＲＳ１が表示される（ステップＳ１０２，Ｓ１０３）。一方、１又は２以上の推奨処理が選択されている場合には、省電力ロック画面ＲＳ２が表示される（ステップＳ１０４）。
【００９５】
図１４のステップＳ２０１〜Ｓ２０３は、携帯電話機１の動作の一例を示したフローチャートであり、ロック解除処理の手順が示されている。このロック解除処理は、ロック画面上に表示されている通常スライダー２１又は省電力スライダーのいずれかが操作された場合に開始される。
【００９６】
まず、操作されたスライダーが、省電力スライダー２２であったか否かが判別される（ステップＳ２０１）。省電力スライダー２２が操作されていた場合には、操作された省電力スライダー２２に対応づけられた省電力化処理が実行される（ステップＳ２０２）。具体的には、その省電力化処理が対象とする機能のユーザ設定１６Ａを「オン」から「オフ」に切り替え、あるいは、当該機能のグレードレベルを低下させる。
【００９７】
１個の省電力スライダー２２に２以上の省電力化処理が対応づけられている場合には、これらの省電力化処理が順に実行される。また、図７に示したように、ユーザにより２以上の省電力スライダー２２が同時に操作された場合であれば、各省電力スライダー２２に対応づけられた省電力化処理が順に実行される。
【００９８】
全ての省電力化処理が終了すれば、通常画面ＮＳが表示され、当該ロック解除処理を終了する（ステップＳ２０３）。
【００９９】
一方、ステップＳ２０１において、省電力スライダー２２が操作されていないと判断された場合、つまり、通常スライダー２１が操作されていた場合には、省電力化処理を行うことなく、通常画面ＮＳが表示され、当該ロック解除処理を終了する（ステップＳ２０３）。
【０１００】
図１５のステップＳ３０１〜Ｓ３０８は、図１３に示した推奨処理の選択（ステップＳ１０１）の詳細手順を示したフローチャートである。まず、消費電力を低減可能な機能が抽出される（ステップＳ１０１）。つまり、ユーザ設定１６Ａが「オン」又は「オフ」からなる機能の場合には、「オン」になっている機能が抽出される。また、ユーザ設定１６Ａがグレードレベルからなる機能の場合には、最低レベル以外になっている機能が抽出される。
【０１０１】
次に、抽出された機能ごとの使用頻度が求められる（ステップＳ３０２）。使用頻度は、使用履歴計測部１２０により計測され、記憶装置１６内に保持されている使用履歴１６Ｂに基づいて求められる。なお、使用履歴１６Ｂが、そのまま使用頻度として使用できる場合であれば、使用履歴１６Ｂを参照するだけでよい。
【０１０２】
上記使用頻度に基づいて、２以上の省電力化処理の中から、第１の候補処理が選択される（ステップＳ３０３）。この選択処理は、第１の候補処理選択部１２２において行われ、より使用頻度の低い機能を対象とする省電力化処理が優先されるように、１又は２以上の省電力化処理が第１の候補処理として選択される。
【０１０３】
次に、ステップＳ３０１で抽出された機能ごとの電池消費量が求められる（ステップＳ３０４）。電池消費量は、電池消費量計測部１２１により計測され、記憶装置１６内に保持されている電池消費量１６Ｃに基づいて求められる。なお、電池消費量１６Ｃが、そのまま使用できる場合であれば、電池消費量１６Ｃを参照するだけでよい。
【０１０４】
上記電池消費量に基づいて、２以上の省電力化処理の中から、第２の候補処理が選択される（ステップＳ３０５）。この選択処理は、第２の候補処理選択部１２３において行われ、より電池消費量の少ない機能を対象とする省電力化処理が優先されるように、１又は２以上の省電力化処理が第２の候補処理として選択される。
【０１０５】
次に、電池残量が閾値と比較され、電池残量が比較的多く、余裕がある状態であるのか、あるいは、電池残量が比較的少なく、逼迫した状態であるのかが判別される（ステップＳ３０６）。
【０１０６】
電池残量が閾値を超えている場合には、ステップＳ３０３で選択された第１の候補処理が、推奨処理として選択され、当該処理を終了する（ステップＳ３０７）。つまり、電池残量が比較的多く、まだ余裕がある場合には、ユーザの利便性への影響が小さいと推定される省電力化処理が、推奨処理として選択される。
【０１０７】
一方、電池残量を超えていない場合には、ステップＳ３０５で選択された第２の候補処理が、推奨処理として選択され、当該処理を終了する（ステップＳ３０８）。つまり、電池残量が比較的少なく逼迫している場合には、消費電力の低減効果が大きい省電力化処理が、推奨処理として選択される。
【０１０８】
以上の説明により理解される通り、本実施の形態による携帯電話機１の特徴をまとめると以下の通りである。
【０１０９】
本発明の実施の形態１による携帯電話機１は、非ロック状態Ｓ３では通常画面ＮＳを表示し、ロック状態Ｓ２では省電力ロック画面ＲＳ２を表示する表示制御部１２５と、省電力ロック画面ＲＳ２上の通常スライダー２１に対するユーザ操作に基づいて、非ロック状態に遷移させる第１のロック解除手段と、省電力ロック画面ＲＳ２上の省電力スライダー２２に対するユーザ操作に基づいて、非ロック状態に遷移させるとともに省電力化処理を行い、通常スライダー２１を操作して遷移した場合に比べて、非ロック状態Ｓ３における消費電力を抑制する第２のロック解除手段と、内蔵電池の電池残量を検出する電池残量検出部１４とを備え、表示制御部１２５が、電池残量に基づいて、省電力ロック画面ＲＳ２上に省電力スライダー２２を表示するように構成される。
【０１１０】
このため、省電力ロック画面ＲＳ２上に通常スライダー２１及び省電力スライダー２２が表示され、ユーザは、これらのスライダー２１，２２を選択的に操作することができる。また、省電力スライダー２２が操作された場合には、ロック解除とともに省電力化処理が実行され、通常スライダー２１が操作された場合に比べて、その後の消費電力を低減することができる。従って、ユーザは、省電力スライダー２２を選択すれば、ロック解除時に省電力化処理を行うことを選択することができ、ユーザの意思に基づいて省電力化処理を実行することができる。また、追加的な操作を必要とせず、操作を煩雑化させることもなく、省電力化処理を行うか否かをユーザに選択させることができる。しかも、省電力スライダー２２は、内蔵電池の電池残量に基づいて表示されるため、ユーザは、省電力スライダー２２を選択すれば、電池残量に応じた省電力化処理を実行することができる。
【０１１１】
また、本発明の実施の形態１による携帯電話機１は、２以上の省電力化処理の中から、電池残量に基づいて、ロック解除時に実行することを推奨する省電力化処理を推奨処理として選択する推奨処理選択部１２４を備え、上記表示制御部１２５が、推奨処理を実行するための省電力スライダー２２をロック画面上に表示するように構成される。このため、２以上の省電力化処理の中から、ロック解除時に実行することを推奨する省電力化処理が推奨処理として選択され、当該推奨処理を実行するための省電力スライダー２２が省電力ロック画面ＲＳ２上に表示される。従って、省電力化処理の数に応じて、省電力ロック画面ＲＳ２上に多数の省電力スライダー２２が表示される場合に比べて、操作性を向上させることができる。
【０１１２】
また、本発明の実施の形態１による携帯電話機１は、推奨処理選択部１２４が、予め定められた推奨数Ｎｒを超えない数の省電力化処理を推奨処理として選択し、表示制御部１２５が、推奨処理にそれぞれ対応づけられた１又は２以上の省電力スライダー２２を省電力ロック画面ＲＳ２上に表示するように構成される。このため、推奨数Ｎｒの範囲内で、２以上の省電力化処理を推奨処理として選択することができ、２以上の省電力スライダー２２を表示することができる。従って、ユーザによる省電力スライダー２２の選択判断を困難にすることなく、省電力化処理について２以上の選択肢を示すことができる。
【０１１３】
また、本発明の実施の形態１による携帯電話機１は、省電力ロック画面ＲＳ２上に表示された２以上の省電力スライダー２２は、ユーザが同時に操作することができ、２以上の省電力スライダー２２が同時に操作された場合に、操作された省電力スライダー２２にそれぞれ対応づけられた２以上の省電力化処理がともに実行されるように構成される。このため、ロック画面上に２以上の省電力スライダー２２が表示されている場合、これらの省電力スライダー２２のうち、２以上をともに選択することができる。従って、ユーザは、２以上の省電力化処理の組み合わせを選択することができる。
【０１１４】
また、本発明の実施の形態１による携帯電話機１は、機能ごとに使用履歴１６Ｂ及び電池消費量１６Ｃを保持する記憶装置１６と、使用履歴１６Ｂに基づいて、２以上の省電力化処理の中から、１又は２以上の省電力化処理を第１の候補処理として選択する第１の候補処理選択部１２２と、電池消費量１６Ｃに基づいて、２以上の省電力化処理の中から、１又は２以上の省電力化処理を第２の候補処理として選択する第２の候補処理選択部１２３とを備え、推奨処理選択部１２４は、電池残量を予め定められた閾値と比較し、電池残量が閾値を超えていれば、第１の候補処理を推奨処理として選択する一方、電池残量が閾値以下であれば、第２の候補処理を推奨処理として選択するように構成される。
【０１１５】
このため、機能ごとの使用履歴１６Ｂに基づいて、第１の候補処理が選択される一方、機能ごとの電池消費量１６Ｃに基づいて、第２の候補処理が選択される。そして、電池残量に基づいて、第１又は第２の候補処理のいずれか一方が推奨処理として選択される。つまり、推奨処理を選択する際、電池残量に応じて異なる基準で省電力化処理が選択される。このため、適切な省電力化処理を選択することができる。
【０１１６】
また、本発明の実施の形態１による携帯電話機１は、使用履歴１６Ｂを計測し、記憶装置１６に格納する使用履歴計測部１２０を備え、第１の候補処理選択部１２２が、第１の候補処理として、より利用頻度の低い機能を対象とする省電力化処理を優先的に選択するように構成される。このため、ユーザの利便性を損なう可能性の低い省電力化処理を推奨処理として選択することができる。特に、電池残量が比較的多い場合に推奨処理に採用される第１の候補処理の選択において、この様な選択方法を採用することにより、ユーザは、より適切な省電力化処理を選択することが可能になる。
【０１１７】
また、本発明の実施の形態１による携帯電話機１は、記憶装置１６が、機能ごとに動作状態を予め指定するためのユーザ設定１６Ａを保持し、第１の候補処理選択部１２２は、ユーザ設定１６Ａに基づいて、その実行が許可されている機能を対象とする第１の候補処理を選択するように構成される。このため、消費電力の低減効果が得られない省電力化処理が第１の候補処理として選択されることがなく、適切な省電力化処理を推奨処理として選択することができる。
【０１１８】
また、本発明の実施の形態１による携帯電話機１は、電池消費量１６Ｃを計測し、記憶装置１６に格納する電池消費量計測部１２１を備え、第２の候補処理選択部１２３が、第２の候補処理として、より消費電力の低減効果が大きい機能を対象とする省電力化処理を優先的に選択するように構成される。このため、消費電力の低減効果が大きい省電力化処理を推奨処理として選択することができる。特に、電池残量が比較的少ない場合に推奨処理に採用される第２の候補処理の選択において、この様な選択方法を採用することにより、ユーザは、より適切な省電力化処理を選択することが可能になる。
【０１１９】
また、本発明の実施の形態１による携帯電話機１は、記憶装置１６が、機能ごとに動作状態を予め指定するためのユーザ設定１６Ａを保持し、第２の候補処理選択部１２３は、ユーザ設定１６Ａに基づいて、その実行が許可されている機能を対象とする第２の候補処理を選択するように構成される。このため、消費電力の低減効果が得られない省電力化処理が第２の候補処理として選択されることがなく、適切な省電力化処理を推奨処理として選択することができる。
【０１２０】
実施の形態２．
図１６のステップＳ４０１〜Ｓ４０４は、ロック画面の表示処理の手順について他の例を示したフローチャートである。つまり、図１３の処理手順に変わる処理手順が示されている。図１６のフローチャートは、スリープ解除操作が行われると開始され、まず最初に一般ロック画面ＲＳ１が表示される（ステップＳ４０１）。その後、推奨処理の選択が行われ（ステップＳ４０２）、推奨処理が選択された場合には、一般ロック画面ＲＳ１が省電力ロック画面ＲＳ２に変化する（ステップＳ４０３，Ｓ４０４）。一方、推奨処理が選択されなかった場合には、そのまま一般ロック画面ＲＳ１が、継続して表示される。
【０１２１】
図１６のフローチャートを図１３のフローチャートと比較すれば、一般ロック画面ＲＳ１が表示される条件とタイミングが異なっている。図１３のフローチャートでは、まず最初に推奨処理の選択が行われ（ステップＳ１０１）、その後に、ロック画面の表示が行われている（ステップＳ１０３，Ｓ１０４）。このため、推奨処理の選択に時間がかかった場合、スリープ解除操作を行ってから、ロック画面が表示されるまでにタイムラグが発生し、操作性を低下させるおそれがある。これに対し、図１６の処理手順を採用すれば、スリープ解除操作が行われると、直ちに一般ロック画面ＲＳ１が表示され、当該画面内に、やや遅れて省電力スライダー２２が追加され、省電力ロック画面ＲＳ２に移行するようになる。このため、操作性を低下させることなく、省電力ロック画面ＲＳ２を表示させることができる。
【０１２２】
本発明の実施の形態２による携帯電話機１は、ロック画面を表示させるためのユーザ操作を検出するユーザ操作検出手段を備え、表示制御部１２５が、上記ユーザ操作に基づいて、通常スライダー２１を含むロック画面を表示し、推奨処理選択部１２４が、上記ユーザ操作に基づいて推奨処理を選択し、表示制御部１２５が、通常スライダー２１よりも遅れて省電力スライダー２２をロック画面上に表示するように構成される。このため、推奨処理が選択されるのを待つことなく、通常スライダー２１をロック画面上に表示させることができ、推奨処理が選択された時点で、省電力スライダー２２もロック画面上に表示させることができる。このため、ロック画面を表示させるためのユーザ操作があった場合に、迅速にロック画面を表示させることができ、操作性を低下させることがない。
【０１２３】
なお、上記実施の形態では、第１の候補処理選択部１２２が、ユーザ設定１６Ａ及び使用履歴１６Ｂに基づいて、第１の候補処理を選択する場合の例について説明したが、さらに、省電力スライダー２２の非選択履歴を考慮することもできる。省電力スライダーの非選択履歴とは、過去に省電力ロック画面ＲＳ２に表示されたが、ユーザによって選択されなかった省電力スライダー２２ごとの履歴であり、当該省電力スライダー２２に対応する省電力化処理については、第１の候補処理を選択する際の優先順位を下げる補正を行うように構成してもよい。例えば、省電力ロック画面ＲＳ２に３回表示されたが、１回もユーザによって選択されなかった省電力スライダー２２に対応する省電力化処理は、その後、一定期間が経過するまでの間、第１の候補処理選択部１２２において、第１の候補処理として選択されないように構成することができる。
【０１２４】
また、上記実施の形態では、第２の候補処理選択部１２３が、ユーザ設定１６Ａ及び電池消費量１６Ｃに基づいて、第２の候補処理を選択する場合の例について説明したが、さらに、省電力スライダー２２の非選択履歴を考慮することもできる。つまり、非選択履歴に基づいて、省電力ロック画面ＲＳ２に表示されたが、ユーザによって選択されなかった省電力スライダー２２に対応する省電力化処理については、第２の候補処理を選択する際の優先順位を下げる補正を行うように構成してもよい。例えば、省電力ロック画面ＲＳ２に３回表示されたが、１回もユーザによって選択されなかった省電力スライダー２２に対応する省電力化処理は、その後、一定期間が経過するまでの間、第２の候補処理選択部１２３において、第２の候補処理として選択されないように構成することができる。
【０１２５】
さらに、上記実施の形態では、省電力ロック画面ＲＳ２上に通常スライダー２１及び省電力スライダー２２が表示され、これらのスライダー２１，２２に対し、ユーザがスライド操作を行うことにより、ロック状態が解除される場合の例について説明したが、本発明は、このような場合のみに限定されない。例えば、スライダー２１，２２に代えて、スライドしないアイコンがそれぞれ表示され、アイコンの表示領域に対するユーザのタップ操作やダブルタップ操作によって、ロック状態が解除されるものであってもよい。
【符号の説明】
【０１２６】
１      携帯電話機
１０    タッチパネル
１０Ａ  表示装置
１０Ｂ  タッチセンサ
１１    操作キー
１２    プロセッサ
１３    無線通信部
１４    電池残量検出部
１５Ａ  ＷＬＡＮ制御部
１５Ｂ  Ｂｌｕｅｔｏｏｔｈ制御部
１５Ｃ  ＧＰＳ制御部
１５Ｄ  歩数計
１６    記憶装置
１６Ａ  ユーザ設定
１６Ｂ  使用履歴
１６Ｃ  電池消費量
２１    通常スライダー
２２    省電力スライダー
１０１  表示パネル
１０２  バックライト
１２０  使用履歴計測部
１２１  電池消費量計測部
１２２  第１の候補処理選択部
１２３  第２の候補処理選択部
１２４  推奨処理選択部
１２５  表示制御部
Ｎｒ    推奨数
ＮＳ    通常画面
ＲＳ１  一般ロック画面
ＲＳ２  省電力ロック画面
Ｓ１    スリープ状態
Ｓ２    ロック状態
Ｓ３    非ロック状態
【図１】
2014056469.tif 000003
【図２】
2014056469.tif 000004
【図３】
2014056469.tif 000005
【図４】
2014056469.tif 000006
【図５】
2014056469.tif 000007
【図６】
2014056469.tif 000008
【図７】
2014056469.tif 000009
【図８】
2014056469.tif 000010
【図９】
2014056469.tif 000011
【図１０】
2014056469.tif 000012
【図１１】
2014056469.tif 000013
【図１２】
2014056469.tif 000014
【図１３】
2014056469.tif 000015
【図１４】
2014056469.tif 000016
【図１５】
2014056469.tif 000017
【図１６】
2014056469.tif 000018